(57)【要約】  コンテンツデータを再生する映像再生装置と、映像を視聴する際に用いられる眼鏡装置とを備える映像システムであって、眼鏡装置は、視聴者の眼に到達する光の量を調整する光学フィルタ部と、眼鏡装置の電源として用いられる電池と、電池の電池残量に関する残量情報を送信するとともに、光学フィルタ部を制御するための同期信号を受信する第１送受信部と、を含み、映像再生装置は、残量情報を受信するとともに同期信号を送信する第２送受信部と、残量情報に基づいて眼鏡装置の動作時間情報が示す時間を算出し、光学フィルタ部の動作頻度を低減させるように同期信号を第２送受信部に送信させる制御部と、を含むことを特徴とする映像システム。
2011108285.tif 000002
【特許請求の範囲】
【請求項１】
映像を３次元的に知覚させるためのコンテンツデータを再生する映像再生装置と、前記映像を視聴する際に用いられる眼鏡装置とを備える映像システムであって、
前記眼鏡装置は、
前記映像を視聴者に３次元的に知覚させるように前記視聴者の眼に到達する光の量を調整する光学フィルタ部と、
前記眼鏡装置の電源として用いられる電池と、
前記映像再生装置へ前記電池の電池残量に基づく情報を送信し、前記光学フィルタ部を制御するための同期信号を受信する第１送受信部と、を含み、
前記映像再生装置は、
前記残量情報を受信し、前記同期信号を送信する第２送受信部と、
前記受信した情報から得られる時間情報であって前記眼鏡装置が動作できる残り時間を示す時間情報である動作時間情報および、前記コンテンツデータの再生時間の比較結果に基づいて、当該映像再生装置の動作モードを選択的に切り換える制御部と、を含むことを特徴とする映像システム。
【請求項２】
前記制御部は、前記再生時間が前記動作時間情報が示す時間より長い場合、前記再生時間が前記動作時間情報が示す時間以下の場合と比較して、前記光学フィルタ部の動作頻度が少なくなる同期信号を前記第２送受信部に送信させる動作モードに切り換える請求項１に記載の映像システム。
【請求項３】
前記コンテンツデータの再生時間が前記動作時間情報より長いとき、前記制御部は、前記第１送受信部と前記第２送受信部との間の通信頻度を低減させる動作モードに切り換える請求項１に記載の映像システム。
【請求項４】
前記映像は、左眼で視聴されるための左眼フレーム画像と、右眼で視聴されるための右眼フレーム画像とを含み、
前記映像再生装置は、前記左眼フレーム画像に対応する左眼用の映像信号と、前記右眼フレーム画像に対応する右眼用の映像信号とを出力する映像処理部を含み、
前記再生時間が前記動作時間情報が示す時間より長いとき、前記制御部は、前記映像処理部に前記左眼用の映像信号及び前記右眼用の映像信号のうち一方の映像信号を出力させる動作モードに切り換える請求項１又は２に記載の映像システム。
【請求項５】
前記コンテンツデータの再生時間が前記動作時間情報が示す時間より長いときに送信される前記同期信号に基づき、前記光学フィルタ部は、前記光の量を増大させた状態を維持することを特徴とすることを特徴とする請求項４に記載の映像システム。
【請求項６】
前記コンテンツデータの再生時間が前記動作時間情報より長いときに送信される前記同期信号に基づき、前記一方の映像信号に同期して、前記光の量を調整することを特徴とする請求項４に記載の映像システム。
【請求項７】
前記再生時間が前記動作時間情報が示す時間より長いとき、前記制御部は、前記映像を２次元的に知覚させるように前記光の量を調整させるための前記同期信号を送信する２Ｄ再生時間と、前記映像を３次元的に知覚させるように前記光の量を調整させるための前記同期信号を送信する３Ｄ再生時間と、を備える動作モードに切り替え、
前記３Ｄ再生時間における前記光学フィルタ部の動作頻度に対して、前記２Ｄ再生時間において、前記光学フィルタ部の動作頻度が低減されることを特徴とする請求項２に記載の映像システム。
【請求項８】
前記３Ｄ再生時間は、前記コンテンツデータの再生終了時を起算時とし、前記動作時間情報が示す時間だけ戻った期間として設定され、
前記２Ｄ再生時間は、前記３Ｄ再生時間を除いた前記コンテンツデータの再生時間として設定されることを特徴とする請求項７に記載の映像システム。
【請求項９】
前記３Ｄ再生時間は、前記コンテンツデータの再生開始時を起算時とし、前記動作時間情報が示す時間だけ進んだ期間として設定され、
前記２Ｄ再生時間は、前記３Ｄ再生時間を除いた前記コンテンツデータの再生時間として設定されることを特徴とする請求項７に記載の映像システム。
【請求項１０】
前記コンテンツデータは、音声データを含み、
前記制御部は、該音声データが所定の音量以上である期間を前記３Ｄ再生時間として設定することを特徴とする請求項７に記載の映像システム。
【請求項１１】
前記コンテンツデータは、一つ以上の前記３Ｄ再生時間の開始時刻及び前記３Ｄ再生時間の終了時刻のデータを含み、
前記制御部は、前記３Ｄ再生時間の開始時刻及び前記３Ｄ再生時間の終了時刻の前記データに基づき、前記映像を３次元的に知覚させるように前記光の量を調整させるための前記同期信号を送信することを特徴とする請求項７に記載の映像システム。
【請求項１２】
前記３Ｄ再生時間の開始時刻から前記３Ｄ再生時間の終了時刻までの期間が前記動作時間情報が示す時間より長いとき、前記制御部は、前記コンテンツデータの先頭に最も近い前記３Ｄ再生時間の開始時刻を起算時とし、前記動作時間情報が示す時間だけ進んだ期間を３Ｄ再生時間として設定することを特徴とする請求項１１に記載の映像システム。
【請求項１３】
前記３Ｄ再生時間の開始時刻から前記３Ｄ再生時間の終了時刻までの期間が前記動作時間情報が示す時間より長いとき、前記制御部は、前記コンテンツデータの終端に最も近い前記３Ｄ再生時間の終了時刻を起算時とし、前記動作時間情報が示す時間だけ戻った期間を３Ｄ再生時間として設定することを特徴とする請求項１１に記載の映像システム。
【請求項１４】
前記コンテンツデータは、前記３Ｄ再生時間の開始時刻と前記３Ｄ再生時間の終了時刻及び優先的に３Ｄ再生時間として設定する優先度のデータを含み、
前記３Ｄ再生時間の開始時刻から前記３Ｄ再生時間の終了時刻までの期間が前記動作時間情報が示す時間より長いとき、
前記制御部は、前記優先度に基づいて優先度の高い前記３Ｄ再生時間の開始時刻と前記３Ｄ再生時間の終了時刻から、順次３Ｄ再生時間として設定することを特徴とする請求項１１に記載の映像システム。
【請求項１５】
前記映像再生装置は、前記コンテンツデータを再生する再生部を含み、
前記第２送受信部は、前記再生部の再生動作を、所定期間、変更するための変更信号を受信し、
前記制御部は、前記変更信号に基づき、所定期間、前記再生部に再生動作を変更させ、
前記第２送受信部は、前記所定期間が経過した後、前記残量情報を新たに受信し、
前記制御部は、前記新たに受信された前記残量情報に基づき、前記動作時間情報が示す時間を新たに算出し、
前記コンテンツデータの残りの再生時間が、前記新たに算出された動作時間情報が示す時間より長いとき、前記制御部は、前記２Ｄ再生時間と、前記３Ｄ再生時間と、を設定することを特徴とする請求項６乃至１４のいずれか１項に記載の映像システム。
【請求項１６】
前記制御部は、前記コンテンツデータの再生時間が前記動作時間情報が示す時間より長いとき、前記電池残量に関する警告を出力することを特徴とする請求項１乃至１５のいずれか１項に記載の映像システム。
【請求項１７】
映像を視聴する際に用いられる眼鏡装置であって、
前記映像を視聴者に３次元的に知覚させるように前記視聴者の眼に到達する光の量を調整する光学フィルタ部と、
前記眼鏡装置の電源として用いられる電池と、
前記映像再生装置へ前記電池の電池残量に関する残量情報を送信するとともに前記光学フィルタ部を制御するための同期信号を受信する第１送受信部と、を備えることを特徴とする眼鏡装置。
【請求項１８】
眼鏡装置を用いて、映像を３次元的に知覚させるためのコンテンツデータを再生する映像再生装置であって、
前記眼鏡装置の電源として用いられる電池の残量情報を受信するとともに前記眼鏡装置を制御するための同期信号を送信する第２送信部と、
前記残量情報に基づいて前記眼鏡装置の動作時間情報が示す時間を算出し、前記コンテンツデータの再生時間が前記動作時間情報が示す時間より長いとき、前記電池の使用量を低減させるように前記同期信号を前記第２送受信部に送信させる制御部と、を備えることを特徴とする映像再生装置。
【発明の詳細な説明】
【技術分野】
【０００１】
本発明は、視聴者に３次元的に知覚される映像を提供するための映像システム、眼鏡装置及び映像再生装置に関する。
【背景技術】
【０００２】
映像を再生及び表示する機器が使用されている途中での電池切れは、一般的な電気機器と同様に好ましいものではない。このため、機器の消費電力を抑制するための様々な技術が提案されている（例えば、特許文献１参照）。【０００３】
視聴者に３次元的に知覚される映像を提供するための映像システムは、一般的に、映像を再生及び表示する映像再生装置と、映像再生装置によって表示される映像を３次元的に知覚させるように映像の視聴を補助する眼鏡装置とを含む。例えば、映像再生装置は、左眼で視聴されるための左眼フレーム画像と、右眼で視聴されるための右眼フレーム画像とを交互に表示する。眼鏡装置は、左眼フレーム画像が表示されている間、視聴者の左眼前に配置された左眼フィルタを通じて、左眼フレーム画像の視聴を可能とすると同時に、視聴者の右眼前に配置された右眼フィルタを通じて、右眼による左眼フレーム画像の視聴を不能にする。同様に、眼鏡装置は、右眼フレーム画像が表示されている間、右眼フィルタを通じて、右眼フレーム画像の視聴を可能とすると同時に、左眼フィルタを通じて、左眼による左眼フレーム画像の視聴を不能にする。かくして、視聴者は映像再生装置から提供された映像を３次元的に知覚することができる。【０００４】
上述のような映像再生装置及び眼鏡装置の動作を得るためには電力が必要となる。特に、眼鏡装置は視聴者に装着されるため、一般的に、電力供給のために、一次電池や二次電池といった可搬型のバッテリが眼鏡装置に取り付けられる。【０００５】
特許文献１に開示されるような既知の省電力化技術は、眼鏡装置の作動時間を長くすることも可能であるが、コンテンツデータの再生途中に、電池切れを生ずることを防止するための根本的な解決手法とはならない。例えば、映像再生装置が再生するコンテンツデータの全再生時間長が眼鏡装置の電池残量が許容する稼働時間よりも長い場合、コンテンツデータの再生途中に眼鏡装置は電池切れを起こすこととなる。このように、映像システムに用いられる眼鏡装置に要求される稼働時間は、眼鏡装置と別体に設けられた映像再生装置によって再生されるコンテンツデータの全再生時間長に依存する。これまでのところ、コンテンツデータの全再生時間長を基準として、眼鏡装置の電池切れといったトラブルの発生を抑制する技術は存在していない。【０００６】
眼鏡装置の電池切れが生じた場合、眼鏡装置は、映像再生装置が提供する映像のフレーム画像に同期して、上述のような立体視補助動作をすることが困難となる。したがって、電池切れを生じた眼鏡装置を装着する視聴者は、映像を視聴している最中に、突然、映像の視聴ができなくなる（例えば、左眼フィルタ及び右眼フィルタが閉じた状態が続いた場合）。或いは、視聴者は、右眼で左眼フレーム画像を視聴し、左眼で右眼フレーム画像を視聴することとなる（例えば、左眼フィルタ及び／又は右眼フィルタの動作が、映像のフレーム画像に非同期である場合又は左眼フィルタ及び／又は右眼フィルタが開いた状態が続いた場合）。このような不具合は、視聴者に対して、大きな不快感を与えることとなる。
【先行技術文献】
【特許文献】
【０００７】
【特許文献１】特開平１１−６６８２８号公報
【発明の概要】
【０００８】
上記実情を鑑みて、本発明は、コンテンツデータの再生時間に応じて、眼鏡装置の電池の使用量を抑制する映像システム、眼鏡装置及び映像再生装置を提供することを目的とする。
【０００９】
本発明の一の局面に係る映像システムは、映像を３次元的に知覚させるためのコンテンツデータを再生する映像再生装置と、前記映像を視聴する際に用いられる眼鏡装置とを備え、前記眼鏡装置は、前記映像を視聴者に３次元的に知覚させるように前記視聴者の眼に到達する光の量を調整する光学フィルタ部と、前記眼鏡装置の電源として用いられる電池と、前記映像再生装置へ前記電池の電池残量に関する残量情報を送信するとともに、前記光学フィルタ部を制御するための同期信号を受信する第１送受信部と、を含み、前記映像再生装置は、前記残量情報を受信するとともに前記同期信号を送信する第２送受信部と、前記残量情報に基づいて前記眼鏡装置の動作時間情報を算出し、前記コンテンツデータの再生時間が前記動作時間情報より長いとき、前記電池の使用量を低減させるように前記同期信号を前記第２送受信部に送信させる制御部と、を含むことを特徴とする。
【００１０】
本発明の他の局面に係る映像を視聴する際に用いられる眼鏡装置は、前記映像を視聴者に３次元的に知覚させるように前記視聴者の眼に到達する光の量を調整する光学フィルタ部と、前記眼鏡装置の電源として用いられる電池と、前記映像再生装置へ前記電池の電池残量に関する残量情報を送信するとともに前記光学フィルタ部を制御するための同期信号を受信する第１送受信部と、を備えることを特徴とする。
【００１１】
本発明の更に他の局面に係る眼鏡装置を用いて、映像を３次元的に知覚させるためのコンテンツデータを再生する映像再生装置は、前記眼鏡装置の電源として用いられる電池の残量情報を受信するとともに前記眼鏡装置を制御するための同期信号を送信する第２送信部と、前記残量情報に基づいて前記眼鏡装置の動作時間情報を算出し、前記コンテンツデータの再生時間が前記動作時間情報より長いとき、前記電池の使用量を低減させるように前記同期信号を前記第２送受信部に送信させる制御部と、を備えることを特徴とする。
【図面の簡単な説明】
【００１２】
【図１】一実施形態にしたがう映像システムの概略図である。
【図２】図１に示される映像システムの映像再生装置のブロック図である。
【図３】図１に示される映像システムの眼鏡装置のブロック図である。
【図４】図３に示される眼鏡装置による残量情報の送信動作を表す概略的なフローチャートである。
【図５】図３に示される眼鏡装置による残量情報の他の送信動作を表す概略的なフローチャートである。
【図６】図３に示される眼鏡装置による残量情報の他の送信動作を表す概略的なフローチャートである。
【図７】図２に示される映像再生装置の残量情報を取得した後のコンテンツデータの再生動作を表す概略的なフローチャートである。
【図８】映像処理部が生成する映像信号、送信制御部が生成する同期信号、同期信号に基づく左眼用フィルタ及び右眼用フィルタの動作を表す概略的なタイミングチャートである。
【図９】映像処理部が生成する映像信号、送信制御部が生成する同期信号、同期信号に基づく左眼用フィルタ及び右眼用フィルタの動作を表す概略的なタイミングチャートである。
【図１０】図２に示される映像再生装置の制御部の動作を表す概略的なフローチャートである。
【図１１】コンテンツデータの再生時間に対して３Ｄ再生時間と２Ｄ再生時間とを割り当てるための手法を表す概略図である。
【図１２】コンテンツデータのダイジェスト部分に対する３Ｄ再生時間を割り当てるための手法を表す概略図である。
【図１３】コンテンツデータの先頭部分を基点として、動作時間情報だけ３Ｄ再生時間を設定するための手法を表す概略図である。
【図１４】図２に示される映像再生装置が特殊再生信号を受信したときの動作を表す概略的なフローチャートである。
【図１５】図１４に示されるステップＳ１３０７における時間取得動作を表す概略図である。
【図１６】巻き戻し再生がなされたときの時間取得動作を表す概略図である。
【図１７】終了信号を受信した後に取得された残量情報に基づいて動作時間情報を設定する動作を説明するためのフローチャートである。
【図１８】低減された頻度の同期信号の通信を表す概略的なタイミングチャートである。
【発明を実施するための形態】
【００１３】
以下、本実施形態に係る映像システムについて図面を参照して説明する。
【００１４】
＜語句の定義＞
以下の説明で用いられる「コンテンツデータ」との用語は、放送信号（例えば、通常のテレビジョン放送、ケーブルテレビ放送や衛星放送）を受信したテレビジョン装置（ＳＴＢ（Set Top Box）を備える装置を含む）といった表示装置を用いて視聴される番組の内容を表すデータ、ＤＶＤディスク、ブルーレイディスクや他の蓄積媒体（例えば、ＳＤ、ＵＳＢメモリ、ＳＳＤやＨＤＤ）に格納されたタイトル、チャプタやプレイリストといった情報を表すデータやインターネットを通じて入手或いは視聴されるデータ（例えば、ダウンロードｔｓ、ｍｐ４といった動画ファイルに格納されたデータやストリーミング方式で再生及び視聴されるデータ）や映像として表示装置に表示可能な他のデータを意味する。コンテンツデータは、例えば、ＭＰＥＧ（Ｍｏｔｉｏｎ  Ｐｉｃｔｕｒｅ  Ｅｘｐｅｒｔｓ  Ｇｒｏｕｐ）−２、ＭＰＥＧ−４やＨ２６４といった方式で符号化されていてもよい。
【００１５】
本実施形態に従う映像システムは、上述のコンテンツデータの再生時間に関する情報を取得し、映像システムが有する眼鏡装置の電池の使用量を低減する。コンテンツデータが放送信号であるならば、再生時間に関する情報は、例えば、ＭＰＥＧ２システムのＥＩＴ（Ｅｖｅｎｔ  Ｉｎｆｏｒｍａｔｉｏｎ  Ｔａｂｌｅ）から取得されてもよい。コンテンツデータがＤＶＤディスクやブルーレイディスクといった記憶媒体に格納されているならば、これら記憶媒体がコンテンツデータとともに一般的に格納している管理情報からタイトルやチャプタの再生時間に関する情報が取得されてもよい。コンテンツデータがインターネットを通じて入手或いは視聴されるファイルデータであるならば、ファイルの再生時間を表すメタデータやファイルに付属の管理情報（例えば、ＭＰ４ファイルフォーマット（ＩＳＯ／ＩＥＣ １４４９６）であるならば、ｍｏｏｖコンテナボックス（コンテナ））から再生情報に関する情報が取得されてもよい。
【００１６】
本実施形態における「電池残量によって許容される立体視補助動作の動作時間情報」との用語或いはこれに類する用語は、眼鏡装置を基に、視聴者が３次元的に映像を知覚することが可能な期間を意味する。したがって、眼鏡装置が映像のフレーム画像の表示に追従しない期間（即ち、非同期期間或いは動作停止期間）は、立体視補助動作の動作時間情報に含まれない。また、「電池残量によって許容される立体視補助動作の動作時間情報」との用語は、物理的或いは電気的に、眼鏡装置が映像のフレーム画像の表示に追従し、視聴者が映像を３次元的に知覚することができる最大期間だけでなく、論理的に算出された最大期間や、算出された最大期間に更に安全率を見積もって設定された期間や、他の手法を用いて適切に求められた期間をも意味する。
【００１７】
本実施形態における「左眼フィルタ／右眼フィルタを開く」との用語或いはこれに類する用語は、左眼フィルタ／右眼フィルタを通じて、視聴者の左眼／右眼へ到達する光量が増大することを意味する。
【００１８】
また、本実施形態における「左眼フィルタ／右眼フィルタを閉じる」との用語或いはこれに類する用語は、左眼フィルタ／右眼フィルタを通じて、視聴者の左眼／右眼へ到達する光量が減少することを意味する。
【００１９】
また、本実施形態において、左眼フィルタ／右眼フィルタが閉じるとき、左眼フィルタ／右眼フィルタは、光を遮断する。代替的に、左眼フィルタ／右眼フィルタは、透過光を偏向させ、左眼／右眼へ到達する光量を減少させてもよい。したがって、「左眼フィルタ／右眼フィルタを開く動作」及び「左眼フィルタ／右眼フィルタを閉じる動作」は、左眼フィルタ／右眼フィルタを通じて左眼／右眼へ到達する光量を増減させる全ての動作を含む。
【００２０】
（実施の形態１）
＜１．映像システムの全体構成＞
図１は、映像を３次元的に知覚させるためのコンテンツデータを再生する映像再生装置１と、当該映像再生装置１が再生して出力する映像信号に基づいて映像を表示する表示ディスプレイ２と、当該表示ディスプレイ２が表示する映像を視聴する際に用いられる眼鏡装置３と、を備える映像システムの構成を示す。本実施形態では、視聴者は、眼鏡装置を通して、表示ディスプレイ２の表示面に表示される映像を見ることで、映像を３次元的に知覚する。
【００２１】
表示ディスプレイ２は、映像再生装置１から出力される映像信号に基づいて映像を表示する。表示ディスプレイ２は、例えば、プラズマディスプレイパネル、液晶パネル、ＣＲＴを用いた装置、有機エレクトロルミネッセンスを用いた装置や３次元映像信号に基づき、映像を視聴者に視認させることができる他の任意の装置を用いて構成される。
【００２２】
以下、説明の便宜上、映像再生装置１及び眼鏡装置３の間で、予めペアリングが行われている。したがって、映像再生装置１及び眼鏡装置３の間で、双方向のパケット通信がなされるように、映像再生装置１及び眼鏡装置３はセットアップされている。つまり、映像再生装置１は、眼鏡装置３のＩＰアドレスといった情報を取得している。同様に、眼鏡装置３は、映像再生装置１のＩＰアドレスといった情報を取得しているものとする。なお、映像再生装置１と眼鏡装置３との間で赤外線通信が行われるならば、予め通信方式が設定されている。
【００２３】
＜１−１．映像再生装置の構成に関して＞
次に図面を用いて、映像再生装置１の構成が説明される。
【００２４】
図２は、本実施形態における映像再生装置１の概略的なブロック図である。
【００２５】
本実施形態１における映像再生装置１は、再生ドライブ１０１、再生部１０２、映像処理部１０３、送信制御部１０４、送受信部１０５、制御部１０６と、備える。
【００２６】
再生ドライブ１０１は、記録媒体から所定の形式で符号化されたコンテンツデータの読み取るヘッド（図示せず）と、当該記録媒体を回転させるためのモータ部（図示せず）と、を備える。再生ドライブ１０１は、読み取られたコンテンツデータを、再生部１０２に出力する。
【００２７】
再生ドライブ１０１は、符号化されたコンテンツデータを出力する。再生部１０２は、再生ドライブ１０１から出力されたコンテンツデータの復号化処理を行なう。また、再生部１０２は、復号化されたコンテンツデータを映像処理部１０３に出力する。なお、説明の便宜上、復号化処理されたコンテンツデータは、「復号化データ」と称される。さらに、再生部１０２は、復号化されたコンテンツデータのメタ情報であるコンテンツ情報を制御部１０６に出力する。コンテンツ情報は、例えば、コンテンツデータの再生時間に関する時間情報等を含んでもよい。
【００２８】
映像処理部１０３は、立体映像の表示に関する信号処理を行う。映像処理部１０３は、復号化データの映像処理を実行し、表示ディスプレイ２に立体映像を表示するための映像信号を生成並びに出力する。以下の説明において、左眼で視聴されるための左眼フレーム画像を表示するための映像信号は、「Ｌ信号」と称される。また、右眼で視聴されるための右眼フレーム画像を表示するための映像信号は、「Ｒ信号」と称される。
【００２９】
特定の実施形態において、映像処理部１０３は、復号化データからＬ信号とＲ信号とを検出し、検出されたＬ信号とＲ信号とに基づいてそれぞれ生成された左眼フレーム画像及び右眼フレーム画像が、表示ディスプレイ２に対して時間的に交互に表示されるよう映像信号を生成する。立体映像の表示に関する信号処理を行なった後、映像処理部１０３は、表示ディスプレイ２の信号入力方式に適合した出力信号を生成し、表示ディスプレイ２に出力する。
【００３０】
なお、映像処理部１０３は、制御部１０６からの制御信号に応じて、再生部１０２から出力される復号化データの信号処理を変更する機能を有してもよい。例えば、映像処理部１０３は、制御部１０６からの制御信号に基づいて、復号化データに対して、表示ディスプレイ２に立体映像として表示される映像信号（以下、３Ｄ映像信号と称す）を生成する信号処理を行なうか、２次元映像として表示される映像信号（以下、２Ｄ映像信号と称す）を生成する信号処理を行うかを決定する。
【００３１】
なお、映像処理部１０３は、上記の処理以外の処理を実行してもよい。例えば、映像処理部１０３は、表示ディスプレイ２の表示特性に応じて、表示する映像の色彩を調整する処理や、再生部１０２で復号化処理された映像データのフレーム間の映像を補間することにより、映像のフレームレートを上げてもよい。
【００３２】
なお、再生部１０２が復号化したコンテンツデータからＬ信号及びＲ信号が、自動的に生成されてもよい。映像処理部１０３は、自動的に生成されたＬ信号とＲ信号とを表示ディスプレイ２に交互に出力してもよい。
【００３３】
送信制御部１０４は、制御部１０６からの制御信号を基に、映像処理部１０３が生成したＬ信号及びＲ信号に同期する同期信号を生成する。さらに、送信制御部１０４は、生成された同期信号を送受信部１０５へ出力する。ここで、「同期信号」との用語は、映像処理部１０３から表示ディスプレイ２に出力されるＬ信号及びＲ信号の出力タイミングと、眼鏡装置３が備える左眼フィルタ及び右眼フィルタの開閉タイミングと、を対応付ける制御信号を意味する。例えば、映像処理部１０３から表示ディスプレイ２に対してＬ信号が出力されているならば、眼鏡装置３は、同期信号を基に、左眼フィルタを開き、右眼フィルタを閉じるための制御を行う。映像処理部１０３から表示ディスプレイ２に対してＲ信号が出力されているならば、眼鏡装置３は、同期信号を基に、右眼フィルタを開き、左眼フィルタを閉じるための制御を行う。
【００３４】
送受信部１０５は、送信制御部１０４で生成された同期信号を、無線通信路を介して眼鏡装置３に送信する。また、送受信部１０５は、眼鏡装置３から当該眼鏡装置３の電池残量に関する残量情報を受信し、制御部１０６に出力する。ここで、無線通信路は、赤外線光を用いた通信形式であってもよいし、ＩＥＥＥ８０２．１１、ｚｉｇｂｅｅやＢｌｕｅｔｏｏｔｈに規定される無線ＬＡＮを用いた通信形式であってもよい。なお、無線通信路は、上記の通信形式に限定されるものではない。無線通信路は、眼鏡装置３と双方向通信可能な他の通信方式であってもよい。本実施形態において、送受信部１０５は、第２送受信部として例示される。
【００３５】
制御部１０６は、映像処理部１０３及び送信制御部１０４に対して、制御信号を出力し、視聴者がコンテンツデータを２Ｄ映像信号又は３Ｄ映像信号として視認させる。例えば、制御部１０６は、送受信部１０５で受信した残量情報と再生部１０２から出力されるコンテンツ情報とを基に、制御信号を生成する。その後、制御部１０６は、映像処理部１０３及び送信制御部１０４に、生成された制御信号を出力する。制御部１０６における残量情報に基づいた制御信号の生成方法は、後述される。
【００３６】
＜１−２．眼鏡装置３の構成に関して＞
次に、図面を参照しながら眼鏡装置３の構成が説明される。
【００３７】
図３は、本実施形態における眼鏡装置３の概略的なブロック図である。
【００３８】
眼鏡装置３は、送受信部３０１、制御部３０２、光学フィルタ部３０３、電池３０４、スイッチ３０５と、を備える。
【００３９】
送受信部３０１は、映像再生装置１から送信される同期信号を、無線通信路を介して受信する。送受信部３０１は、受信した同期信号を、制御部３０２に出力する。また、送受信部３０１は、制御部３０２から出力される電池３０４の電池残量に関する情報を、無線通信路を介して、映像再生装置１に送信する。ここで、無線通信路は、赤外線光を用いた通信形式であってもよいし、ＩＥＥＥ８０２．１１、ｚｉｇｂｅｅやＢｌｕｅｔｏｏｔｈに規定される無線ＬＡＮを用いた通信形式であってもよい。なお、無線通信路は上記の通信形式に限定されるものではない。無線通信路は、眼鏡装置３と双方向通信可能な他の通信方式であってもよい。本実施形態において、送受信部３０１は、第１送受信部として例示される。
【００４０】
制御部３０２は、不揮発性記録媒体（図示せず）に記録されたプログラムに従い、眼鏡装置３全体の制御を行う。また、制御部３０２は、送受信部３０１から出力される同期信号を基に、光学フィルタ部３０３の制御を行う制御信号を生成する。例えば、制御部３０２は、同期信号を基に、表示ディスプレイ２にＬ信号に基づく映像が表示されるタイミングで、左眼フィルタ３０３１が開き、右眼フィルタ３０３２が閉じるように光学フィルタ部３０３を制御する制御信号を生成する。また、制御部３０２は、同期信号を基に、表示ディスプレイ２にＲ信号に基づく映像が表示されるタイミングで右眼フィルタ３０３２が開き、左眼フィルタ３０３１が閉じるように、光学フィルタ部３０３を制御する制御信号を生成する。
【００４１】
さらに、制御部３０２は、スイッチ３０５から給電信号を受信した場合、電池３０４に対して給電を開始するように制御を行う機能を有する。なお、制御部３０２は、好ましくは、スイッチ３０５からの給電信号を受信可能な程度に電池３０４から給電がなされている状態で待機する。代替的に、制御部３０２は、他の給電デバイスから給電されてもよい。
【００４２】
さらに、制御部３０２は、電池３０４における電池残量に関する残量情報を取得し、送受信部３０１に出力する。制御部３０２が取得する残量情報は、後述される。なお、制御部３０２による電池残量の取得方法は、電池３０４の電圧測定といった電池残量を検出する既知の手法を用いてなされてもよい。
【００４３】
光学フィルタ部３０３は、眼鏡装置３を着用した使用者の左眼及び右眼の前方に位置し、左眼及び右眼へ透過する光の量を調整する。光学フィルタ部３０３は、視聴者の左眼前に配置される左眼フィルタ３０３１と、視聴者の右眼前に配置される右眼フィルタ３０３２と、を備える。光学フィルタ部３０３は、制御部３０２から出力された制御信号を基に、左眼フィルタ３０３１の動作と、右眼フィルタ３０３２の動作とを適切に制御し、眼鏡装置３の使用者に所望の光学的効果（映像を３次元的に知覚させる効果）を与える。
【００４４】
眼鏡装置３の電源として用いられる電池３０４は、制御部３０２からの指示に基づいて、送受信部３０１、制御部３０２及び光学フィルタ部３０３に給電を行う。例えば、一次電池や二次電池などの可搬型且つ眼鏡装置３に内蔵可能な程度に小型の電池が、電池３０４として、好適に用いられる。
【００４５】
眼鏡装置３の使用者は、スイッチ３０５を操作することができる。使用者によって操作されたスイッチ３０５は、制御部３０２に対して給電を開始する給電信号を出力する。スイッチ３０５は、例えば、押圧操作されるように形成されたボタンであってもよい。
【００４６】
＜２．動作内容に関して＞
以下、図面を参照しながら映像再生装置１及び眼鏡装置３の動作が説明される。
【００４７】
＜２−１．残量情報を送信する動作フロー＞
以下、眼鏡装置３が残量情報を送信するための動作フローが図面を用いて説明される。
【００４８】
図４は、眼鏡装置３が残量情報を送信する動作を概略的に表すフローチャートである。使用者によってスイッチ３０５が押圧操作されると、当該スイッチ３０５は、給電信号を制御部３０２に出力する。その後、ステップＳ３０１が実行される。
【００４９】
（ステップＳ３０１）
制御部３０２は、スイッチ３０５からの給電信号が入力できるように、待機モードとなっている。制御部３０２は、スイッチ３０５から給電信号が入力されたことを検知すると、ステップＳ３０２が実行される。なお、制御部３０２は、スイッチ３０５から給電信号が入力されない場合は、そのまま待機モードを維持する。
【００５０】
（ステップＳ３０２）
スイッチ３０５から給電信号が入力されると、制御部３０２は、電池３０４から眼鏡装置３全体に給電がなされるための制御を行う。例えば、制御部３０２は、送受信部３０１及び光学フィルタ部３０３に給電がなされるための制御を行う。本ステップ以降、眼鏡装置３の各モジュールが動作することになる。電池３０４が眼鏡装置３全体に給電を開始するための制御の後、ステップＳ３０３が実行される。
【００５１】
（ステップＳ３０３）
電池３０４が眼鏡装置３全体に給電を開始した後、制御部３０２は、電池３０４の電池残量に関する情報である残量情報を取得する。残量情報の取得の後、制御部３０２は、送受信部３０１に残量情報を出力する。その後、ステップＳ３０４が実行される。
【００５２】
（ステップＳ３０４）
送受信部３０１は、制御部３０２から入力される残量情報を、例えば、ＩＥＥＥ８０２．１１、ｚｉｇｂｅｅやＢｌｕｅｔｏｏｔｈに規定される無線通信を用いて、映像再生装置１に送信する。
【００５３】
上述の動作フローを通じて、映像再生装置１は、視聴者がスイッチ３０５を押圧操作するタイミングで、例えば、コンテンツデータの視聴開始時における眼鏡装置３の電池残量に関する残量情報を取得することが可能となる。そのため、映像再生装置１は、コンテンツデータの再生開始時から当該映像再生装置１の再生動作を、眼鏡装置３の電池残量に応じて調整することができる。
【００５４】
図５は、眼鏡装置３が残量情報を送信するための他の動作を表す概略的なフローチャートである。図４と同様のステップに対して、同じ番号が付されている。これらの同様のステップに関する詳細な説明は省略される。
【００５５】
図５に示されるフローチャートでは、眼鏡装置３は、送受信部３０１が光学フィルタ部３０３に対する制御に用いられる同期信号を受信した時に残量情報を送信する。使用者によってスイッチ３０５が押圧操作され、電池３０４から眼鏡装置３全体に対する給電が開始されると、ステップＳ４０１が実行される。
【００５６】
（ステップＳ４０１）
送受信部３０１は、映像再生装置１から、例えば、ＩＥＥＥ８０２．１１、ｚｉｇｂｅｅやＢｌｕｅｔｏｏｔｈに規定される無線通信を介して、同期信号を受信したか否かを検出する。送受信部３０１が同期信号を受信した場合、ステップＳ３０３が実行される。送受信部３０１が同期信号を受信しない場合は、制御部３０２は、同期信号の受信を待つ。
【００５７】
上述の動作フローを通じて、映像再生装置１から同期信号が受信したタイミングで、眼鏡装置３は、残量情報を当該映像再生装置１に送信することができる。
【００５８】
なお、眼鏡装置３が残量情報を送信するタイミングは、同期信号を受信したタイミングに限定されるものではない。映像再生装置１から特殊再生に関する特殊再生信号（例えば１．５倍速再生や２倍速再生といった早送り再生信号、コンテンツデータの再生開始信号及び巻き戻し再生信号、チャプタースキップ信号等）を受信したタイミングで、眼鏡装置３は、残量情報を送信してもよい。この場合、図５に関連して説明された同期信号は、上記の特殊再生信号に置き換えられる。代替的に、眼鏡装置３は、上記の特殊再生を終了するための終了信号を受信したタイミングで、残量情報を送信してもよい。
【００５９】
なお、図４及び図５に関連して説明された動作が組み合わせられてもよい。
【００６０】
図６は、眼鏡装置３における残量情報を送信する別の動作を説明するための概略的なフローチャートである。図４及び図５に関連して説明されたステップと同様のステップに対して、同じ番号が付されている。これらの同様のステップに関する詳細な説明は省略される。
【００６１】
図６に示されるフローチャートでは、眼鏡装置３は、制御部３０２の制御下で、給電が開始された後、一定時間毎に残量情報を送信する。
【００６２】
（ステップＳ５０１）
制御部３０２は、ステップＳ３０４の後、一定時間経過したか否かを判定する。一定時間経過した場合、ステップＳ３０３が実行される。ステップＳ３０３において、制御部３０２は、残量情報を取得する。一定時間経過していない場合、制御部３０２は、一定時間経過するまで待機を続ける。ここで、「一定時間」は、２０分や３０分といった任意の期間であってもよい。映像再生装置１に比較的高い頻度で再生制御を実行させるならば、「一定時間」として、より短い時間（例えば、５分）が設定される。
【００６３】
＜２−２．映像再生装置１における再生動作フロー＞
以下、映像再生装置１における再生動作フローが、図面を用いて説明される。
【００６４】
図７は、映像再生装置１が残量情報を取得したときのコンテンツデータの再生動作を概略的に示すフローチャートである。
【００６５】
（ステップＳ６０１）
送受信部１０５は、眼鏡装置３から、例えば、ＩＥＥＥ８０２．１１、ｚｉｇｂｅｅやＢｌｕｅｔｏｏｔｈに規定される無線通信を介して、残量情報を受信したか否かを検出する。残量情報が受信された場合、送受信部１０５は、制御部１０６に受信された残量情報を出力する。その後、ステップＳ６０２が実行される。残量情報が受信されない場合は、送受信部１０５は、そのまま残量情報の受信を待つ。
【００６６】
（ステップＳ６０２）
制御部１０６は、送受信部１０５から出力される残量情報を基に、眼鏡装置３の動作時間情報（以下、ｔ１と称される）を算出する。例えば、映像再生装置１に対して、眼鏡装置３の電池残量が１００％の場合、「ｔ１」が１０時間と予め設定されているとする。この場合、眼鏡装置３の電池残量が５０％であることを規定する残量情報を取得すると、制御部１０６はｔ１を５時間と算出することになる。なお、制御部１０６による「ｔ１」の算出は、上記の手法に限定されるものではない。制御部１０６は、残量情報を基に眼鏡装置３の「ｔ１」を取得できる任意の方法を用いてもよい。
【００６７】
例えば、本実施形態において、眼鏡装置３の送受信部３０１は、残量情報として、電池３０４のエネルギ量（Ｗｈ）を送信してもよい。映像再生装置１の制御部１０６は、例えば、眼鏡装置３の使用電力（Ｗ）に関する情報を予め格納していてもよい。代替的に、制御部１０６は、インターネット通信を介して、眼鏡装置３の使用電力（Ｗ）に関する情報を取得してもよい。更に代替的に、眼鏡装置３の送受信部３０１は、使用者がスイッチ３０１を操作したときに、眼鏡装置３の使用電力（Ｗ）に関する情報を映像再生装置１に送信してもよい。制御部１０６は、残量情報を取得した後、例えば、電池３０４のエネルギ量（Ｗｈ）を使用電力（Ｗ）で除算し、動作時間情報「ｔ」を算出することができる。
【００６８】
（ステップＳ６０３）
次に、制御部１０６は、再生部１０２から出力されるコンテンツデータの再生時間情報（以下、ｔ２と称される）を含むコンテンツ情報を取得する。
【００６９】
（ステップＳ６０４）
引き続き、制御部１０６は、「ｔ１」と「ｔ２」とを比較する。「ｔ１」と「ｔ２」との比較の結果、制御部１０６が、「ｔ１」のほうが大きいと判定するならば、ステップＳ６０８が実行される。一方、制御部１０６が、「ｔ２」が「ｔ１」以上と判定するならば、ステップＳ６０５が実行される。
【００７０】
（ステップＳ６０５）
「ｔ２」よりも「ｔ１」のほうが大きいと判定した制御部１０６は、視聴者が再生部１０２から出力される復号化データを２Ｄ映像として視認できるように、映像処理部１０３と送信制御部１０４とに対して制御信号を出力する。映像処理部１０３は、制御部１０６からの制御信号を基に、映像信号を生成し、表示ディスプレイ２に出力する。
【００７１】
（ステップＳ６０６）
送信制御部１０４は、制御部１０６からの制御信号に基づいて、同期信号を生成する。送信制御部１０４は、生成された同期信号を送受信部１０５に出力する。
【００７２】
図８は、映像処理部１０３が生成する映像信号と、送信制御部１０４が生成する同期信号と、当該同期信号に基づき動作する左眼用フィルタ３０３１及び右眼用フィルタ３０３２と、の関係を示すタイミングチャートである。
【００７３】
制御部１０６は、信号処理部１０３に対して、図８のセクション（ａ）に示される映像信号を生成させる制御信号を出力する。信号処理部１０３は、制御部１０６が出力した制御信号に基づき、特定の周期毎（例えば、６０Ｈｚ）に、Ｌ信号を出力する（Ｒ信号を出力することなしに）。また、信号処理部１０３は、先行するＬ信号と後続のＬ信号との間に画面全体が黒で構成されるブラック画面を表示するための映像信号を生成する。代替的に、信号処理部１０３は、Ｌ信号に代えて、Ｒ信号を生成してもよい。更に代替的に、信号処理部１０３は、ブラック画面に代えて、先行するＬ信号（又はＲ信号）と後続のＬ信号（又は、Ｒ信号）とに基づき、動き補償を行って、中間信号を生成してもよい。この結果、視聴者は、滑らかな動画を視聴することができる。
【００７４】
さらに、制御部１０６は、送信制御部１０４に対して、図８のセクション（ｂ）に示される同期信号を生成させる制御信号を生成する。送受信部１０５は、図８のセクション（ｂ）に示される同期信号を眼鏡装置３の送受信部３０１へ送信する。眼鏡装置３の送受信部３０１が、図８のセクション（ｂ）に示される同期信号を受信すると、左眼用フィルタ３０３１及び右眼用フィルタ３０３２は、図８のセクション（ｃ）及び図８のセクション（ｄ）に示されるように動作する。なお、同期信号が含むパルス信号「１」は、眼鏡装置３の送受信部３０１が当該パルス信号「１」を受信した後、左眼用フィルタ３０３１及び右眼用フィルタ３０３２がともに開き続ける動作を規定する。左眼用フィルタ３０３１及び右眼用フィルタ３０３２がともに開き続ける動作（即ち、視聴者の眼に到達する光量を増大させた状態を維持する動作）を行うと、視聴者は、コンテンツデータを２Ｄ映像信号として視認できる。この結果、左眼用フィルタ３０３１及び右眼用フィルタ３０３２の動作頻度が減る（即ち、電池の使用量が減る）ので、電池３０４の電池切れが好適に抑制される。
【００７５】
なお、視聴者がコンテンツデータを２Ｄ映像信号として視認できるように制御する方法は、上記の構成に限定されるものではない。例えば、制御部１０６は、映像処理部１０３に対して、Ｌ信号及びＲ信号のうち一方の映像信号を連続して出力させる制御信号を出力してもよい。さらに、制御部１０６は、送信制御部１０４に対して、Ｌ信号及びＲ信号のうち出力された一方の映像信号に同期して、左眼用フィルタ３０３１及び右眼用フィルタ３０３２が同じタイミングで開く同期信号を生成させる制御信号を出力してもよい。このような光学フィルタ部３０３に対する制御によっても、Ｌ信号及びＲ信号それぞれの出力に同期して、左眼用フィルタ３０３１及び右眼用フィルタ３０３２が交互に開閉する３Ｄ映像を視聴している間の光学フィルタ部３０３の動作と比して、左眼用フィルタ３０３１及び右眼用フィルタ３０３２の動作頻度が低減され、電池３０４の電池切れが好適に抑制される。
【００７６】
（ステップＳ６０７）
送受信部１０５は、送信制御部１０４から出力される同期信号を、例えば、ＩＥＥＥ８０２．１１、ｚｉｇｂｅｅやＢｌｕｅｔｏｏｔｈに規定される無線通信を用いて、眼鏡装置３に送信する。
【００７７】
（ステップＳ６０８）
「ｔ１」が「ｔ２」以上であると判定した制御部１０６は、視聴者が再生部１０２から出力された復号化データを３Ｄ映像信号として視認可能となるように、映像処理部１０３及び送信制御部１０４に対して制御信号を出力する。映像処理部１０３は、制御部１０６からの制御信号を基に、映像信号を生成して表示ディスプレイ２に出力する。
【００７８】
（ステップＳ６０９）
送信制御部１０４は、制御部１０６からの制御信号に基づいて、同期信号を生成する。送信制御部１０４は、生成された同期信号を、送受信部１０５に出力する。
【００７９】
図９は、映像処理部１０３が生成する映像信号と、送信制御部１０４が生成する同期信号と、当該同期信号に基づき動作する左眼用フィルタ３０３１及び右眼用フィルタ３０３２と、の関係を示すタイミングチャートである。
【００８０】
制御部１０６は、信号処理部１０３に対して、図９のセクション（ａ）に示されるような映像信号を生成させる制御信号を出力する。さらに、制御部１０６は、送信制御部１０４に対して、図９のセクション（ｂ）に示される同期信号を生成させる制御信号を生成する。眼鏡装置３が、図９のセクション（ｂ）に示される同期信号を受信すると、左眼用フィルタ３０３１及び右眼用フィルタ３０３２は、図９のセクション（ｃ）及び図９のセクション（ｄ）にそれぞれ示されるように動作する。なお、同期信号中のパルス信号「２」は、左眼用フィルタ３０３１を開くことを規定する。さらに、同期信号中のパルス信号「３」は、左眼用フィルタ３０３１を閉じることを規定する。また、同期信号中のパルス信号「４」は、右眼用フィルタ３０３２を開くことを規定する。さらに、同期信号中のパルス信号「５」は、右眼用フィルタ３０３２を閉じることを規定する。
【００８１】
（ステップＳ６１０）
送受信部１０５は、送信制御部１０４から出力される同期信号を、例えば、ＩＥＥＥ８０２．１１、ｚｉｇｂｅｅやＢｌｕｅｔｏｏｔｈに規定される無線通信を用いて、眼鏡装置３に送信する。
【００８２】
上述の動作フローを通じて、映像再生装置１は、当該コンテンツデータの視聴前若しくは視聴中に適切に再生制御を実行するので、３Ｄ映像信号としてコンテンツデータが再生されている間の眼鏡装置３の電池の残量不足に起因して、視聴者が３Ｄ映像を、突然、視聴できなくなるといった不具合が生じにくくなる。
【００８３】
（実施の形態２）
実施の形態１に関連して説明された映像再生装置１は、眼鏡装置３から送信される残量情報を基に、視聴者に表示ディスプレイ２に表示される映像を２Ｄ映像として視聴させるための２Ｄモードと、視聴者に表示ディスプレイ２に表示される映像を３Ｄ映像として視聴させるための３Ｄモードと、を切り替える。この結果、眼鏡装置３の電池の残量不足に起因して、視聴者が３Ｄ映像を、突然、視聴できなくなるといった不具合が生じにくくなる。
【００８４】
しかしながら、眼鏡装置３の電池残量が、視聴者がコンテンツデータ全体を３Ｄ映像として視聴するには十分でなくとも、視聴者が当該コンテンツデータを部分的に３Ｄ映像信号として視聴することが可能な場合がある。そこで、本実施の形態２においては、眼鏡装置３から送信される残量情報を基に、コンテンツデータの一部を視聴者に２Ｄ映像信号として視聴させ、他の部分（例えばクライマックスシーン等）を３Ｄ映像信号として視聴させる映像システムを記載する。
【００８５】
以下、本実施形態２における映像システムを、図面を参照しながら説明される。なお、本実施形態２における映像再生装置１及び眼鏡装置３の構成は、実施形態１に関連して説明されたものと略同様であり、これらの同様の要素に対する説明は省略される。本実施形態２は、制御部１０６において、実施形態１と相違する。以下、制御部１０６が詳細に説明される。
【００８６】
＜制御部１０６に関して＞
制御部１０６は、送受信部１０５から出力される残量情報と再生部１０２が出力するコンテンツ情報とに基づき、コンテンツデータの再生時間と動作時間情報とを比較する。さらに、制御部１０６は、動作時間情報が再生時間よりも短い場合、映像処理部１０３及び送信制御部１０４に対して、コンテンツデータを３Ｄ映像信号として処理させる制御信号と、２Ｄ映像信号として処理させる制御信号とを時間的に切り換えて出力する機能を有する。
【００８７】
＜制御部１０６における動作フロー＞
以下、制御部１０６の動作フローが、図面を用いて、説明される。
【００８８】
図１０は、制御部１０６の動作を示す概略的なフローチャートである。実施形態１に関連して説明された図７に示されるステップと同様のステップは、同じ番号で示されている。これらの同様なステップに対する詳細な説明は、省略される。以下、説明の便宜上、視聴者にコンテンツデータを２Ｄ映像として視認させるように、制御部１０６が映像処理部１０３及び送信制御部１０４に制御信号を出力する時間は、２Ｄ再生時間と称される。また、視聴者にコンテンツデータを３Ｄ映像として視認させるように、制御部１０６が映像処理部１０３及び送信制御部１０４に制御信号を出力する時間は、３Ｄ再生時間と称される。
【００８９】
（ステップＳ９０１）
ステップＳ６０４において、「ｔ１」が「ｔ２」よりも短いと判定した制御部１０６は、コンテンツデータの再生時間「ｔ２」のうち、合計時間が「ｔ１」となるように３Ｄ再生時間を設定し、他の時間（つまり、「ｔ２」−「ｔ１」の時間）に対して、２Ｄ再生時間と設定する。例えば、制御部１０６は、図１１に示されるようにコンテンツデータの再生時間「ｔ２」のうち、コンテンツデータの再生終了時を起算時として動作時間情報「ｔ１」だけ前に戻った期間を３Ｄ再生時間として設定する（図１１中の期間１００１に相当）。さらに、制御部１０６は、３Ｄ再生時間として設定された期間以外の期間（つまり、コンテンツデータの再生開始時を起算時として、「ｔ１」−「ｔ２」だけ先に進んだ期間）を２Ｄ再生時間として設定する（図１１中の期間１００２に相当）。
【００９０】
（ステップＳ９０２）
次に、制御部１０６は、コンテンツデータの再生を行っている現在の時刻が３Ｄ再生時間であるか否かを判定する。制御部１０６が、現在の時刻が３Ｄ再生時間であると判定するならば、ステップＳ６０８が実行される。また、制御部１０６が、現在の時刻が３Ｄ再生時間でないと判定するならば、ステップＳ６０５が実行される。映像再生装置１が、ステップＳ６０８からステップＳ６１０の処理を行なった後、又は、ステップＳ６０５からステップＳ６０７の処理を行なった後、ステップＳ９０３が実行される。
【００９１】
（ステップＳ９０３）
制御部１０６は、コンテンツデータの再生が終了したか否かを判定する。コンテンツデータの再生が終了した場合は、制御部１０６は動作を終了する。コンテンツデータの再生が終了していないならば、ステップＳ９０２が実行される。
【００９２】
上記の動作フローを通じて、動作時間情報がコンテンツデータの再生時間よりも短くとも、眼鏡装置３の動作が可能な限り、コンテンツデータの一部を３Ｄ映像として視聴者に視聴させることができる。
【００９３】
なお、ステップＳ９０１における制御部１０６の設定動作は、上記のようにコンテンツデータの再生に先立って行われてもよい。代替的に、ステップＳ９０１における制御部１０６の設定動作は、コンテンツデータの再生中に適宜実行されてもよい。
【００９４】
＜ステップＳ９０１における制御部１０６の設定方法＞
以下、ステップＳ９０１における制御部１０６が実行する設定方法が、図面を用いて説明される。
【００９５】
＜ダイジェスト部分に関して３Ｄ映像信号で再生＞
制御部１０６は、コンテンツデータのダイジェスト部分を優先的に３Ｄ再生時間として設定してもよい。
【００９６】
図１２は、制御部１０６がコンテンツデータのダイジェスト部分に３Ｄ再生時間を設定する方法を示す概略図である。
【００９７】
図１２に示される如く、制御部１０６はコンテンツデータ全体に対して間歇的に３Ｄ再生時間を設定してもよい。間歇的な設定によって、表示ディスプレイ２は、２Ｄ映像信号に基づき生成された映像と、３Ｄ映像信号に基づき生成された映像とを交互に表示する。例えば、ダイジェスト部分に対応する映像は、３Ｄ映像信号に基づき表示される。
【００９８】
なお、制御部１０６は、好ましくは、コンテンツデータを解析し当該ダイジェスト部分を抽出する機能を備える。この場合、制御部１０６は、コンテンツデータのうち音声の盛り上がり（コンテンツデータが含む音声データが所定の音量以上である期間）や映像の切り換わりに対応するデータ部分をダイジェスト部分として抽出する。なお、制御部１０６におけるダイジェスト部分抽出方法に対して、既知の任意の手法が適用されてもよい
【００９９】
なお、制御部１０６は、上述の如く、ダイジェスト部分を優先的に３Ｄ再生時間として設定する。また、制御部１０６がダイジェスト部分と認識した部分のうち一部が３Ｄ再生時間と設定されてもよい。この場合、制御部１０６は、ダイジェスト部分以外の部分に対しても３Ｄ再生時間として設定してもよい。
【０１００】
また、コンテンツデータがダイジェスト部分の開始時間及び終了時間を、例えば、データのヘッダ部分に予め保持しているならば、制御部１０６は、ダイジェスト部分の開始時間及び終了時間を読み出してもよい。
【０１０１】
なお、制御部１０６は、ダイジェスト部分の再生時間と動作時間情報を比較してもよい。動作時間情報が、ダイジェスト部分の再生時間よりも短いならば、制御部１０６は、コンテンツデータの先頭に近いダイジェスト部分を優先的に３Ｄ再生時間に設定してもよい。例えば、制御部１０６は、コンテンツデータの先頭に近いダイジェスト部分の３Ｄ再生開始時間の開始時刻を起算時とし、動作時間情報だけコンテンツデータの先頭に近いダイジェスト部分に順に３Ｄ再生時間を割り当てる。
【０１０２】
なお、制御部１０６が、ダイジェスト部分の再生時間と動作時間情報とを比較し、動作時間情報がダイジェスト部分の再生時間よりも短いと判定するならば、制御部１０６は、コンテンツデータの終端に近いダイジェスト部分を優先的に３Ｄ再生時間に設定してもよい。例えば、制御部１０６は、コンテンツデータの終端に近いダイジェスト部分の３Ｄ再生開始時間の終了時刻を起算時とし、動作時間情報だけコンテンツデータの終了に近いダイジェスト部分に順に３Ｄ再生時間を割り当てる。
【０１０３】
なお、コンテンツデータがダイジェスト部分の開始時間、終了時間及びダイジェスト部分の優先度を、例えば、データのヘッダ部分に予め保持しているならば、制御部１０６は、優先度の高いダイジェスト部分を優先的に３Ｄ再生時間に設定してもよい。
【０１０４】
＜コンテンツデータの先頭部分から動作時間情報だけ３Ｄ映像信号で再生＞
制御部１０６は、コンテンツデータの先頭部分から動作時間情報だけ進んだ期間を３Ｄ再生時間に設定してもよい。
【０１０５】
図１３は、制御部１０６がコンテンツデータの先頭部分から動作時間情報だけ３Ｄ再生時間を設定する方法を表す概略図である。図１２に示される方法とは異なり、図１３に示される３Ｄ再生時間は、コンテンツデータの再生開始時を起算時とし、動作時間情報だけ進んだ期間として設定される。また、２Ｄ再生時間は、３Ｄ再生時間を除いたコンテンツデータの再生時間として設定される。
【０１０６】
上述の設定方法によれば、動作時間情報「ｔ１」が、コンテンツデータの再生時間情報「ｔ２」よりも短くとも、視聴者は、例えば、ダイジェスト部分といった適切な部分を３Ｄ映像として視聴することができる。
【０１０７】
（実施の形態３）
実施の形態２に関連して説明された映像再生装置１は、眼鏡装置３から送信される残量情報を基に、眼鏡装置３を装着した視聴者に、コンテンツデータの一部を２Ｄ映像として視聴させ、コンテンツデータの他の部分を３Ｄ映像として視聴させるように２Ｄモードと３Ｄモードとの間での切替を行う。したがって、動作時間情報「ｔ１」が、コンテンツデータの再生時間情報「ｔ２」よりも短くとも、視聴者は、例えば、ダイジェスト部分といった適切な部分を３Ｄ映像として視聴することができる。
【０１０８】
しかしながら、視聴者が特殊再生を要求した場合、コンテンツデータの再生時間は、短く、若しくは、長くなる。例えば、視聴者が早送り再生、若しくは、順方向のスキップ再生を行うならば、コンテンツデータの再生時間は、実質的に短くなる。一方、視聴者が巻き戻し再生、逆方向のスキップ再生、若しくは、一時停止を行うならば、コンテンツデータの再生時間は、実質的に長くなる。
【０１０９】
本実施形態３に関連して説明される映像再生装置は、視聴者が特殊再生を行ったとき、特殊再生後に、３Ｄ再生時間と２Ｄ再生時間と、を再設定する。
【０１１０】
以下、本実施形態３の映像再生装置が、図面を用いて説明される。なお、本実施形態３の映像再生装置１及び眼鏡装置３は、実施形態１又は実施の形態２に関連して説明された構成と略同様である。これらの同様の要素に関連する説明は、省略される。本実施形態３は、制御部１０６において、実施形態１又は実施形態２と相違する。以下、制御部１０６が詳細に説明される。
【０１１１】
なお、説明の便宜上、映像再生装置１は、眼鏡装置３から残量情報を取得している。映像再生装置１による残量情報の取得タイミングは、特殊再生が実施される以前であれば、特に限定されない。例えば、使用者がコンテンツデータを再生するための再生信号を最初に送ったときに、映像再生装置１は、残量情報を取得してもよい。
【０１１２】
以下、説明の便宜上、映像再生装置１は、再生開始時においてコンテンツデータの再生時間が２時間であり、眼鏡装置３の動作時間情報が１時間であるとの情報を取得している。また、映像再生装置１が受信する特殊再生信号は、以下の説明において、早送り１６倍速を規定する。特殊再生信号は、再生部１０２の再生動作を、所定期間、変更するための変更信号として用いられる。
【０１１３】
図１４は、本実施形態の映像再生装置１が特殊再生信号を受信した際の動作を表すフローチャートである。
【０１１４】
（ステップＳ１３０１）
まず、送受信部１０５は、特殊再生信号の受信を待つ。送受信部１０５が、特殊再生信号を受信すると、ステップＳ１３０２が実行される。特殊再生信号が受信されないならば、送受信部１０５は、継続して、特殊再生信号の受信を待つ。
【０１１５】
（ステップＳ１３０２）
制御部１０６は、送受信部１０５が受信した特殊再生信号に規定される特殊再生を再生部１０２に実行させる。例えば、制御部１０６は、コンテンツデータのうち特殊再生を指示された部分から、当該コンテンツデータが表示ディスプレイ２に１６倍速で表示されるように、再生ドライブ１０１、再生部１０２及び映像処理部１０３に対する制御を開始する。
【０１１６】
（ステップＳ１３０３）
さらに、制御部１０６は、特殊再生中において、視聴者が、再生部１０２から出力される復号化データを１６倍速の２Ｄ映像として視認できるように、映像処理部１０３及び送信制御部１０４に対して制御信号を出力する。映像処理部１０３は、制御部１０６からの制御信号に基づき、映像信号を生成し、２Ｄ映像を表示ディスプレイ２に表示させる。
【０１１７】
（ステップＳ１３０４）
送信制御部１０４は、制御部１０６からの制御信号に基づいて、同期信号を生成する。送信制御部１０４は、生成された同期信号を送受信部１０５に出力する。
【０１１８】
（ステップＳ１３０５）
送受信部１０５は、送信制御部１０４から出力された同期信号を、例えば、ＩＥＥＥ８０２．１１、ｚｉｇｂｅｅやＢｌｕｅｔｏｏｔｈに規定される無線通信を用いて、眼鏡装置３に送信する。
【０１１９】
（ステップＳ１３０６）
送受信部１０５は、特殊再生を終了するための終了信号を受信したかを確認する。終了信号を受信した送受信部１０５は、制御部１０６に、終了信号の受信を通知する。その後、Ｓ１３０７が実行される。終了信号が受信されないならば、送受信部１０５は、継続して、終了信号を待つ。
【０１２０】
（ステップＳ１３０７）
送受信部１０５によって終了信号を通知された制御部１０６は、当該終了信号を受信した時点におけるコンテンツデータの残りの再生時間と、眼鏡装置３の動作時間情報と、を取得する。その後、ステップＳ１３０８が実行される。
【０１２１】
図１５は、ステップＳ１３０７における時間情報を取得するための動作を表す概略図である。
【０１２２】
図１５に示される如く、例えば、コンテンツデータの「０：１０：００」の時点で、送受信部１０５は、早送り１６倍速の特殊再生信号を受信する。また、映像再生装置１は、再生開始から１０分間の期間、３Ｄ映像信号に基づき３Ｄ映像を再生している。さらに、特殊再生は４分間行われ、コンテンツデータの「１：１４：００」の時点から通常再生が再開される。このとき、制御部１０６は、コンテンツデータの残りの再生時間が、「４６分間」であるとの時間情報を取得する。また、制御部１０６は、動作時間情報が「２０分間」であるとの時間情報を取得する。
【０１２３】
（ステップＳ１３０８）
制御部１０６は、コンテンツデータの残りの再生時間「４６分間」のうち、合計時間が２０分となるように、３Ｄ再生時間を設定する。その後、図１０に関連して説明されたステップＳ９０２が実行される。
【０１２４】
なお、特殊再生中、視聴者が再生部１０２から出力される復号化データを１６倍速の２Ｄ映像信号として視認できるように、制御部１０６は、映像処理部１０３及び送信制御部１０４に対して制御信号を出力してもよい。この場合、図１５に示される終了信号を受信した時点において、制御部１０６は、動作時間情報が１６分間であるとの時間情報を取得することができる。したがって、ステップＳ１３０８において、制御部１０６は、コンテンツデータの残りの再生時間「４６分間」のうち、合計時間が「１６分間」となるように、３Ｄ再生時間を設定する。その後、図１０に関連して説明されたステップＳ９０２が実行される。
【０１２５】
なお、特殊再生は、上記の１６倍速の早送り再生モードに限定されるものではない。特殊再生として、１．５倍速、３倍速、１６倍速や３２倍速といった様々な再生モードが選択されてもよい。
【０１２６】
なお、特殊再生は、早送り再生に限定されるものではない。特殊再生として、巻き戻し再生が実行されてもよい。
【０１２７】
図１６は、巻き戻し再生が実行されたときの時間情報を取得するための動作を表す概略図である。
【０１２８】
図１６に示される如く、コンテンツデータの「１：１４：００」の時点で、送受信部１０５は、１６倍速の巻き戻し再生の実行を指示する特殊再生信号を受信している。また、映像再生装置１は、再生開始から「１時間１４分」の間において２Ｄ映像信号に基づく２Ｄ映像を再生している。さらに、特殊再生は「４分間」行われ、コンテンツデータの「０：１０：００」の時点から通常再生が再開される。このとき、制御部１０６は、コンテンツデータの残りの再生時間が「１時間５０分」であるとの時間情報を取得する。また、制御部１０６は、動作時間情報が「２０分間」であるとの時間情報を取得する。
【０１２９】
制御部１０６は、更に、コンテンツデータの残りの再生時間「１時間５０分」のうち、合計時間が「２０分」となるように、３Ｄ再生時間を設定する。その後、図１０に関連して説明されたステップＳ９０２が実行される。
【０１３０】
なお、特殊再生の終了を指示する終了信号を受信した眼鏡装置３は、残量情報を映像再生装置１に送信する。したがって、映像再生装置１は、ステップＳ１３０６において、眼鏡装置３の残量情報を取得することができる。ステップＳ１３０６において、映像再生装置１が残量情報を取得するならば、ステップＳ１３０７において取得される動作時間情報は、当該残量情報に基づいて算出されてもよい。
【０１３１】
上記の場合、映像再生装置１は、使用者が特殊再生として一時停止を行った場合でも、３Ｄ再生時間と２Ｄ再生時間とを適切に設定することが出来る。
【０１３２】
図１７は、終了信号の受信の後の映像再生装置１の動作を表す概略的なフローチャートである。映像再生装置１は、終了信号の受信の後、残量情報を取得し、当該残量情報に基づいて動作時間情報を設定する。
【０１３３】
（ステップＳ１６０１）
ステップＳ１３０６の後、送受信部１０５は、眼鏡装置３から送信された残量情報を受信する。送受信部１０５は、受信された残量情報を制御部１０６に出力する。その後、ステップＳ１６０２が実行される。
【０１３４】
（ステップＳ１６０２）
制御部１０６は、終了信号を受信した時点におけるコンテンツデータの残りの再生時間に関する情報取得する。さらに、制御部１０６は、送受信部１０５から出力された残量情報に基づいて、眼鏡装置３の動作時間情報を算出する。その後、ステップＳ１３０８が実行される。
【０１３５】
（実施の形態４）
上述の実施形態１乃至３に関連して説明された映像再生装置１は、眼鏡装置３から送信された残量情報に基づき、３Ｄ映像が表示される３Ｄモードと２Ｄ映像が表示される２Ｄモードとを切り替え、眼鏡装置３の電池３０４の使用量を低減させる。本実施形態４において、眼鏡装置３から送信された残量情報に基づき、映像再生装置１の送受信部１０５と眼鏡装置３の送受信部３０１との間の通信頻度を低減させる映像再生装置１が説明される。
【０１３６】
本実施形態において、映像再生装置１の制御部１０６が実行する動作時間情報「ｔ１」とコンテンツデータの再生時間情報「ｔ２」との比較までの工程は、上述の実施形態１乃至３と同様である。動作時間情報「ｔ１」がコンテンツデータの再生時間情報「ｔ２」よりも長いならば、映像再生装置１の送受信部１０５は、例えば、図９のセクション（ｂ）に示される如く、左眼フレーム画像の表示の開始を通知するためのパルス信号「２」、左眼フレーム画像の表示の終了を通知するためのパルス信号「３」、右眼フレーム画像の表示の開始を通知するためのパルス信号「４」及び右眼フレーム画像の表示の終了を通知するためのパルス信号「５」を順次送信する。
【０１３７】
図１８は、動作時間情報「ｔ１」がコンテンツデータの再生時間情報「ｔ２」よりも短いときに、映像再生装置１の送受信部１０５が送信する同期信号並びに同期信号に基づく光学フィルタ部３０１の動作を示す概略的なタイミングチャートである。
【０１３８】
図１８のセクション（ａ）に示される如く、映像信号部１０３にＬ信号及びＲ信号を交互に出力する。この結果、表示ディスプレイ２は、左眼フレーム画像と右眼フレーム画像とを交互に表示する。
【０１３９】
動作時間情報「ｔ１」がコンテンツデータの再生時間情報「ｔ２」よりも短いとき、制御部１０６は、送信制御部１０４を制御し、パルス信号「６」を生成させる。パルス信号「６」は、例えば、眼鏡装置３に左眼フレーム画像の表示の開始の時刻「ＴＬＯ」だけでなく、左眼フレーム画像の表示の開始から左眼フレーム画像の表示の終了までの期間「Ｔ１」及び左眼フレーム画像の表示の開始から右眼フレーム画像の表示の開始までの期間「Ｔ２」を眼鏡装置３に通知する。
【０１４０】
眼鏡装置３の送受信部３０１がパルス信号「６」を受信すると、制御部３０２は、左眼フレーム画像の表示の開始の時刻「ＴＬＯ」と、左眼フレーム画像の表示の開始から左眼フレーム画像の表示の終了までの期間「Ｔ１」とに基づき、左眼フィルタ３０３１を閉じる時刻「ＴＬＣ」を算出する。更に、制御部３０２は、左眼フレーム画像の表示の開始の時刻「ＴＬＯ」と、左眼フレーム画像の表示の開始から右眼フレーム画像の表示の開始までの期間「Ｔ２」と、に基づき、右眼フィルタ３０３２を開く時刻「ＴＲＯ」を算出する。制御部３０２は、更に、時刻「ＴＲＯ」に期間「Ｔ１」を加算し、右眼フィルタ３０３２を閉じる時刻「ＴＲＣ」を算出する。制御部３０２は、更に、時刻「ＴＲＯ」に、期間「Ｔ２」を整数倍した値を加算し、後続の左眼フレーム画像の表示が開始する時刻「ＴＬＯ」を算出することができる。
【０１４１】
上述の如く、パルス信号「６」は、期間「Ｔ１」及び期間「Ｔ２」に関する情報を含むので、眼鏡装置３の制御部３０２は、左眼フィルタ３０３１及び右眼フィルタ３０３２を開閉させるための時刻を順次算出することができる。この結果、映像再生装置１の送受信部１０５と眼鏡装置３０１との間の通信頻度が低減される。通信頻度の低減によって、電池３０４の使用量が低減される。
【０１４２】
眼鏡装置３の制御部３０２が実行する演算は、映像再生装置１の送受信部１０５が同期信号として送信するパルス信号が含む情報に応じて、適宜、変更される。本実施形態において、期間「Ｔ１」及び期間「Ｔ２」に関する情報を含むパルス信号「６」が示されている。代替的に、映像再生装置１の送受信部１０５と眼鏡装置３０１との間の通信頻度を低減することができる他の情報を含むパルス信号が送受信部１０５から送信されてもよい。
【０１４３】
映像再生装置１の送受信部１０５は、低減された周期で、パルス信号「６」を送信してもよい。この結果、眼鏡装置３の動作周期と表示ディスプレイ２に表示されるフレーム画像の表示周期とのズレ量は、増大しにくくなる。
【０１４４】
（その他の実施形態）
なお、コンテンツデータの再生時間と眼鏡装置３の動作時間情報とを比較し、動作時間情報の方が短いと判定した映像再生装置１の制御部１０６は、眼鏡装置３の電池残量に関する警告を表示ディスプレイ２に表示させてもよい。
【０１４５】
上述された実施形態は、以下の構成を主に備える。
【０１４６】
上述の実施形態の映像システムは、映像を３次元的に知覚させるためのコンテンツデータを再生する映像再生装置と、前記映像を視聴する際に用いられる眼鏡装置とを備え、前記眼鏡装置は、前記映像を視聴者に３次元的に知覚させるように前記視聴者の眼に到達する光の量を調整する光学フィルタ部と、前記眼鏡装置の電源として用いられる電池と、前記映像再生装置へ前記電池の電池残量に関する残量情報を送信するとともに、前記光学フィルタ部を制御するための同期信号を受信する第１送受信部と、を含み、前記映像再生装置は、前記残量情報を受信するとともに前記同期信号を送信する第２送受信部と、前記残量情報に基づいて前記眼鏡装置の動作時間情報を算出し、前記コンテンツデータの再生時間が前記動作時間情報より長いとき、前記電池の使用量を低減させるように前記同期信号を前記第２送受信部に送信させる制御部と、を含むことを特徴とする。
【０１４７】
上記構成によれば、映像再生装置は、映像を３次元的に知覚させるためのコンテンツデータを再生する。視聴者は、眼鏡装置を用いて、映像を視聴する。眼鏡装置の光学フィルタ部は、映像を視聴者に３次元的に知覚させるように、視聴者の眼に到達する光の量を調整する。電池は、眼鏡装置の電源として用いられる。第１送受信部は、映像再生装置へ電池の電池残量に関する残量情報を送信するとともに、光学フィルタ部を制御するための同期信号を受信する。映像再生装置の第２送受信部は、残量情報を受信するとともに同期信号を送信する。制御部は、残量情報に基づいて眼鏡装置の動作時間情報を算出する。コンテンツデータの再生時間が眼鏡装置の動作時間情報より長いとき、制御部は、電池の使用量を低減させるように同期信号を第２送受信部に送信させるので、眼鏡装置の電池切れはほとんど生じない。
【０１４８】
上記構成において、前記コンテンツデータの再生時間が前記動作時間情報より長いとき、前記制御部は、前記光学フィルタ部の動作頻度を低減させるように前記同期信号を前記第２送受信部に送信させることが好ましい。
【０１４９】
上記構成によれば、制御部は、コンテンツデータの再生時間が眼鏡装置の動作時間情報より長いとき、光学フィルタ部の動作頻度を低減させるように同期信号を第２送受信部に送信させる。光学フィルタ部の動作頻度が低減されるので、眼鏡装置による電池の消費量が低減される。
【０１５０】
上記構成において、前記コンテンツデータの再生時間が前記動作時間情報より長いとき、前記制御部は、前記第１送受信部と前記第２送受信部との間の通信頻度を低減させることが好ましい。
【０１５１】
上記構成によれば、制御部は、コンテンツデータの再生時間が眼鏡装置の動作時間情報より長いとき、制御部は、第１送受信部と前記第２送受信部との間の通信頻度を低減させるので、眼鏡装置による電池の消費量が低減される。
【０１５２】
上記構成において、前記映像は、左眼で視聴されるための左眼フレーム画像と、右眼で視聴されるための右眼フレーム画像とを含み、前記映像再生装置は、前記左眼フレーム画像に対応する左眼用の映像信号と、前記右眼フレーム画像に対応する右眼用の映像信号とを出力する映像処理部を含み、前記コンテンツデータの再生時間が前記動作時間情報より長いとき、前記制御部は、前記映像処理部に前記左眼用の映像信号及び前記右眼用の映像信号のうち一方の映像信号を出力させることが好ましい。
【０１５３】
上記構成によれば、左眼用の映像信号及び右眼用の映像信号のうち一方の映像信号が出力されるので、視聴者は、好適に２次元映像を視聴することが可能となる。
【０１５４】
上記構成において、前記コンテンツデータの再生時間が前記動作時間情報より長いときに送信される前記同期信号に基づき、前記光学フィルタ部は、前記光の量を増大させた状態を維持することを特徴とすることが好ましい。
【０１５５】
上記構成によれば、光学フィルタ部は、視聴者の眼に到達する光の量を増大させた状態を維持するので、光学フィルタ部の動作頻度が低減される。かくして、光学フィルタ部の動作頻度が低減されるので、眼鏡装置による電池の消費量が低減される。また、視聴者は、２次元映像を好適に視聴することが可能となる。
【０１５６】
上記構成において、前記コンテンツデータの再生時間が前記動作時間情報より長いときに送信される前記同期信号に基づき、前記一方の映像信号に同期して、前記光の量を調整することが好ましい。
【０１５７】
上記構成によれば、光学フィルタ部は、左眼用の映像信号及び右眼用の映像信号のうち一方の映像信号に同期して、視聴者の眼に到達する光の量を調整するので、光学フィルタ部の動作頻度が低減される。したがって、眼鏡装置による電池の消費量が低減される。また、視聴者は、２次元映像を好適に視聴することが可能となる。
【０１５８】
上記構成において、前記コンテンツデータの再生時間が前記動作時間情報より長いとき、前記制御部は、前記映像を２次元的に知覚させるように前記光の量を調整させるための前記同期信号を送信する２Ｄ再生時間と、前記映像を３次元的に知覚させるように前記光の量を調整させるための前記同期信号を送信する３Ｄ再生時間と、を設定し、前記３Ｄ再生時間における前記光学フィルタ部の動作頻度に対して、前記２Ｄ再生時間において、前記光学フィルタ部の動作頻度が低減されることが好ましい。
【０１５９】
上記構成によれば、２Ｄ再生時間において、光学フィルタ部の動作頻度が低減されるので、眼鏡装置による電池の消費量が低減される。
【０１６０】
上記構成において、前記３Ｄ再生時間は、前記コンテンツデータの再生終了時を起算時とし、前記動作時間情報だけ戻った期間として設定され、前記２Ｄ再生時間は、前記３Ｄ再生時間を除いた前記コンテンツデータの再生時間として設定されることが好ましい。
【０１６１】
上記構成によれば、コンテンツデータの再生終了時から動作時間情報だけ戻った期間、視聴者は、映像を３次元的に知覚することができる。したがって、視聴者は、一般的にクライマックスシーンが多く設けられるコンテンツデータの後半部分の映像を３次元的に知覚することが可能となる。
【０１６２】
上記構成において、前記３Ｄ再生時間は、前記コンテンツデータの再生開始時を起算時とし、前記動作時間情報だけ進んだ期間として設定され、前記２Ｄ再生時間は、前記３Ｄ再生時間を除いた前記コンテンツデータの再生時間として設定されることが好ましい。
【０１６３】
上記構成によれば、コンテンツデータの再生開始時から動作時間情報だけ進んだ期間、視聴者は、映像を３次元的に知覚することができる。その後、視聴者は、映像を２次元的に知覚することができる。したがって、３次元的に知覚して比較的疲労度が増したコンテンツデータ再生の後半部分において、視聴者は３次元的に映像を知覚することがなくなるので、視聴者の眼の疲労が緩和される。
【０１６４】
上記構成において、前記コンテンツデータは、音声データを含み、前記制御部は、該音声データが所定の音量以上である期間を前記３Ｄ再生時間として設定することが好ましい。
【０１６５】
上記構成によれば、音声データが所定の音量以上である期間、視聴者は、映像を３次元的に知覚することができる。したがって、視聴者は、比較的盛り上がったシーンの映像を３次元的に知覚することができる。
【０１６６】
上記構成において、前記コンテンツデータは、一つ以上の前記３Ｄ再生時間の開始時刻及び前記３Ｄ再生時間の終了時刻のデータを含み、前記制御部は、前記３Ｄ再生時間の開始時刻及び前記３Ｄ再生時間の終了時刻の前記データに基づき、前記映像を３次元的に知覚させるように前記光の量を調整させるための前記同期信号を送信することが好ましい。
【０１６７】
上記構成によれば、視聴者は、コンテンツデータの特定部分の映像を、３次元的に知覚することができる。
【０１６８】
上記構成において、前記３Ｄ再生時間の開始時刻から前記３Ｄ再生時間の終了時刻までの期間が前記動作時間情報より長いとき、前記制御部は、前記コンテンツデータの先頭に最も近い前記３Ｄ再生時間の開始時刻を起算時とし、前記動作時間情報だけ進んだ期間を３Ｄ再生時間として設定することが好ましい。
【０１６９】
上記構成によれば、コンテンツデータの先頭に最も近い３Ｄ再生時間の開始時刻から動作時間情報の間、視聴者は、３次元的に映像を知覚することができる。
【０１７０】
上記構成において、前記３Ｄ再生時間の開始時刻から前記３Ｄ再生時間の終了時刻までの期間が前記動作時間情報より長いとき、前記制御部は、前記コンテンツデータの終端に最も近い前記３Ｄ再生時間の終了時刻を起算時とし、前記動作時間情報だけ戻った期間を３Ｄ再生時間として設定することが好ましい。
【０１７１】
上記構成によれば、コンテンツデータの終端に最も近い３Ｄ再生時間の終了時刻から動作時間情報だけ戻った期間、視聴者は、３次元的に映像を知覚することができる。
【０１７２】
上記構成において、前記コンテンツデータは、前記３Ｄ再生時間の開始時刻と前記３Ｄ再生時間の終了時刻及び優先的に３Ｄ再生時間として設定する優先度のデータを含み、前記３Ｄ再生時間の開始時刻から前記３Ｄ再生時間の終了時刻までの期間が前記動作時間情報より長いとき、前記制御部は、前記優先度に基づいて優先度の高い前記３Ｄ再生時間の開始時刻と前記３Ｄ再生時間の終了時刻から、順次３Ｄ再生時間として設定することが好ましい。
【０１７３】
上記構成によれば、優先度の高い映像を視聴者に優先的に３次元的に知覚させることができる。
【０１７４】
上記構成において、前記映像再生装置は、前記コンテンツデータを再生する再生部を含み、前記第２送受信部は、前記再生部の再生動作を、所定期間、変更するための変更信号を受信し、前記制御部は、前記変更信号に基づき、所定期間、前記再生部に所定期間再生動作を変更させ、前記第２送受信部は、前記所定期間が経過した後、前記残量情報を新たに受信し、前記制御部は、前記新たに受信された前記残量情報に基づき、前記動作時間情報を新たに算出し、前記コンテンツデータの残りの再生時間が、前記新たに算出された動作時間情報より長いとき、前記制御部は、前記２Ｄ再生時間と、前記３Ｄ再生時間と、を設定することが好ましい。
【０１７５】
上記構成によれば、再生部の再生動作に変更があった後も、制御部は、２Ｄ再生時間と３Ｄ再生時間とを適切に設定するので、眼鏡装置による電池の消費量が低減される。
【０１７６】
上記構成において、前記制御部は、前記コンテンツデータの再生時間が前記動作時間情報より長いとき、前記電池残量に関する警告を出力することが好ましい。
【０１７７】
上記構成によれば、視聴者に電池の交換を促すことができるので、眼鏡装置による電池の消費量が低減される。
【０１７８】
本発明の他の局面に係る映像を視聴する際に用いられる眼鏡装置は、前記映像を視聴者に３次元的に知覚させるように前記視聴者の眼に到達する光の量を調整する光学フィルタ部と、前記眼鏡装置の電源として用いられる電池と、前記映像再生装置へ前記電池の電池残量に関する残量情報を送信するとともに前記光学フィルタ部を制御するための同期信号を受信する第１送受信部と、を備えることを特徴とする。
【０１７９】
上記構成によれば、眼鏡装置は、電池の電池残量に関する残量情報を送信する。かくして、眼鏡装置の電池残量に関する残量情報の伝達が可能となる。
【０１８０】
本発明の更に他の局面に係る眼鏡装置を用いて、映像を３次元的に知覚させるためのコンテンツデータを再生する映像再生装置は、前記眼鏡装置の電源として用いられる電池の残量情報を受信するとともに前記眼鏡装置を制御するための同期信号を送信する第２送信部と、前記残量情報に基づいて前記眼鏡装置の動作時間情報を算出し、前記コンテンツデータの再生時間が前記動作時間情報より長いとき、前記電池の使用量を低減させるように前記同期信号を前記第２送受信部に送信させる制御部と、を備えることを特徴とする。
【０１８１】
上記構成によれば、視聴者は、眼鏡装置を用いて、映像再生装置が再生するコンテンツデータを３次元的に知覚する。映像再生装置の第２送受信部は、残量情報を受信するとともに同期信号を送信する。制御部は、残量情報に基づいて眼鏡装置の動作時間情報を算出する。コンテンツデータの再生時間が眼鏡装置の動作時間情報より長いとき、電池の使用量を低減させるように同期信号を第２送受信部に送信させるので、眼鏡装置の電池切れは生じにくくなる。
【産業上の利用可能性】
【０１８２】
上述された一連の実施形態に従う原理は、眼鏡装置を用いて３次元映像を視聴者に視聴させるためのシステムや装置に好適に利用可能である。
【図１】
2011108285.tif 000003
【図２】
2011108285.tif 000004
【図３】
2011108285.tif 000005
【図４】
2011108285.tif 000006
【図５】
2011108285.tif 000007
【図６】
2011108285.tif 000008
【図７】
2011108285.tif 000009
【図８】
2011108285.tif 000010
【図９】
2011108285.tif 000011
【図１０】
2011108285.tif 000012
【図１１】
2011108285.tif 000013
【図１２】
2011108285.tif 000014
【図１３】
2011108285.tif 000015
【図１４】
2011108285.tif 000016
【図１５】
2011108285.tif 000017
【図１６】
2011108285.tif 000018
【図１７】
2011108285.tif 000019
【図１８】
2011108285.tif 000020
【国際調査報告】
2011108285.tif 000021
2011108285.tif 000022
2011108285.tif 000023
2011108285.tif 000024